(57)【特許請求の範囲】
【請求項１】
軸方向の両端部にそれぞれ洗濯物の投入口(21a,21b)と排出口(22a,22b)とを備えて水平軸回りに回転する洗いドラム(2a)及び濯ぎドラム(2b)と、洗いドラムの排出口(22a)から落下してくる洗濯物を受ける受け口(41)と濯ぎドラムの投入口(21b)に洗濯物を落し込む落し口(42)とを備えた圧搾式の中間脱水機(4)とを備えた連続式洗濯装置において、
濯ぎドラムより軸方向長さの長い洗いドラム(2a)が、濯ぎドラム(2b)及び当該濯ぎドラムの投入口(21b)に隣接して配置した前記中間脱水機の上部に、洗いドラム(2a)と濯ぎドラム(2b)の洗濯物の投入口(21a,21b)と排出口(22a,22b)とを互いに逆向きにして、配置されている、連続式洗濯装置。
【請求項２】
軸方向の両端部にそれぞれ洗濯物の投入口(21a,21b)と排出口(22a,22b)とを備えて水平軸回りに回転する洗いドラム(2a)及び濯ぎドラム(2b)と、洗いドラムの排出口(22a)から落下してくる洗濯物を受ける受け口(41)と濯ぎドラムの投入口(21b)に洗濯物を落し込む落し口(42)とを備えた圧搾式の中間脱水機(4)とを備えた連続式洗濯装置において、
洗いドラム(2a)と濯ぎドラム(2b)がそれらの洗濯物の投入口(21a,21b)と排出口(22a,22b)とを互いに逆向きにして一方が他方の上部に位置するように配置され、前記中間脱水機(4)が、その受け口(41)から落し口(42)に向けて移動する受け面(47c)と、上記移動する受け面上の洗濯物を当該受け面と同期移動しながら当該受け面に向けて押圧する押圧面(47d)とを備えている、連続式洗濯装置。
【請求項３】
軸方向の両端部にそれぞれ洗濯物の投入口(21a,21b)と排出口(22a,22b)とを備えて水平軸回りに回転する洗いドラム(2a)及び濯ぎドラム(2b)と、洗いドラムの排出口(22a)から落下してくる洗濯物を受ける受け口(41)と濯ぎドラムの投入口(21b)に洗濯物を落し込む落し口(42)とを備えた圧搾式の中間脱水機(4)とを備えた連続式洗濯装置において、
洗いドラム(2a)と濯ぎドラム(2b)がそれらの洗濯物の投入口(21a,21b)と排出口(22a,22b)とを互いに逆向きにして、濯ぎドラム(2b)より軸方向長さの長い洗いドラム(2a)の上部に、当該濯ぎドラムがその洗濯物の投入口(21b)を洗いドラムの排出口(22a)の略直上部に位置させて、かつその中心軸(24b)を洗いドラムの中心軸(24a)に対して斜めにして配置され、当該濯ぎドラムの投入口(21b)及び洗いドラムの排出口(22a)に隣接して洗濯物を下方から上方に搬送する移送ベルト(53c,53d)を備えた中間脱水機(4)が配置され、濯ぎドラムの洗濯物の排出口(22b)の下方部を越えて延在する洗いドラムの投入側延在部(30)の側方の空間に濯ぎ済洗濯物を脱水する終段脱水機(6)が配置されている、連続式洗濯装置。
【発明の詳細な説明】
【技術分野】
【０００１】
この発明は、洗剤を含んだ水で洗濯物の汚れを落とす洗いドラムと、清水で洗濯物の汚れや洗剤を落とす濯ぎドラムとを別個に備えた洗濯装置に関するもので、大量の洗濯物を連続的に洗濯するのに特に適した業務用の連続式洗濯装置に関するものである。
【背景技術】
【０００２】
水を使用して行う繊維製品の洗濯は、洗剤を含んだ水（湯を含む）で洗濯物に付着した汚れを落とす操作（この明細書で「洗い」と言う。）と、洗濯物から洗剤を除去する操作（この明細書で「濯ぎ」と言う。）とによって行われる。繊維製品の洗濯には多量の水が用いられ、また洗剤を含んだ水は環境に有害であるから、清水の消費量と洗剤を含んだ水の排出量とを少なくすることは、洗濯機に求められる普遍的な要求である。
【０００３】
洗濯物に含まれる洗剤の量が少なければ、濯ぎで使用する清水（濯ぎ水）の量を少なくすることができ、濯ぎ工程で発生する洗剤を含んだ排水（濯ぎ排水）の排出量も少なくすることができる。洗剤は、洗い工程で水に溶融した状態で洗濯物の繊維中に浸透しているので、洗いが終わった洗濯物を脱水して濯ぎに入れば、濯ぎ工程で除去しなければならない洗剤の量を少なくすることができる。
【０００４】
洗濯と脱水とを同一槽で行う単槽式の洗濯脱水機では、洗剤を含む水を使用する洗い工程と清水を使用する濯ぎ工程との間に遠心脱水工程を設けることによって、濯ぎに必要な水の量と濯ぎ回数とを低減させている。
【０００５】
一方、水平軸回りに回転する軸方向に長いドラムの内部を複数の槽に区切って、その軸方向の一端に設けた投入口からドラム内に投入された洗濯物をドラムの回転動作によって隣接する槽に順次移送して、ドラムの反対側の端部に設けた排出口から濯ぎ済みの洗濯物を排出する連続式洗濯機と呼ばれる業務用の洗濯機では、通常、１個のドラムの内部に複数の洗い槽と複数の濯ぎ槽とが形成されている。
【０００６】
従来一般に用いられているこのような構造の連続式洗濯機では、洗い工程と濯ぎ工程との間に脱水工程を設けることは一般に困難である。そのため、従来の連続式洗濯機の多くは、濯ぎ水の量及び濯ぎ排水の量が多いという問題があった。
【０００７】
連続式洗濯機におけるこの問題は、濯ぎ排水を洗い工程で再利用することにより、ある程度解決されているが、先に洗った洗濯物のリントやごみ、あるいは色物を洗濯したときの染料が後で洗う洗濯物に付着するなどの問題があり、問題解決の手段としては不十分である。
【０００８】
そこで連続式洗濯機において、洗濯ドラムを洗いドラムと濯ぎドラムの２つに分割し、それぞれのドラムに洗濯物の投入口と排出口とを設け、洗いドラムの排出口と濯ぎドラムの投入口との間に中間脱水機を配置した連続式洗濯機が特許文献１及び２によって提案されている。
【０００９】
特許文献１には、排出口の下方にローラ圧搾式の脱水機を付設した連続式洗濯機の複数台を同一平面上に配置した洗濯ラインが示されており、洗い用の連続式洗濯機（以下「連続式洗い機」と言う。）から排出された洗濯物を当該連続式洗い機に付設した脱水機で絞って次工程の濯ぎ用の連続式洗濯機（以下「連続式濯ぎ機」と言う。）に送っている。また、特許文献２には、その詳細構造は明らかでないが、連続式洗い機と連続式濯ぎ機の間に遠心式又はプレス式の中間脱水機を配置した連続式洗濯装置が示されている。更に特許文献２には、連続式洗い機を連続式濯ぎ機より上方に位置させて、連続式洗い機の排出口に隣接して中間脱水機を配置し、この脱水機から送出された洗濯物を連続式濯ぎ機の投入口に落し込むようにした連続式洗濯装置が示されている。
【００１０】
また、特許文献３には、連続式洗濯機の洗い槽群と濯ぎ槽群との間に一槽の予濯ぎ槽を設け、この予濯ぎ槽で洗い済み洗濯物を一時滞留させて水シャワーで当該洗濯物に含まれる洗剤を洗い流すようにした連続式洗濯機が示されている。
【特許文献１】実開昭５２−１１７８８０号公報
【特許文献２】仏国特許出願公開第２８５４１７３号明細書
【特許文献３】特開２０００−２８８２８４号公報
【発明の開示】
【発明が解決しようとする課題】
【００１１】
それ自体の構造が複雑で高価かつ大きな設置面積を必要とする連続式洗濯機を、連続式洗い機と連続式濯ぎ機とに分割し、更にその中間に脱水機を配置する構成は、濯ぎ水及び濯ぎ排水の量を低減できる長所はあるが、装置コストが高くなり、装置の設置面積を大幅に増大させるという問題がある。特許文献２に示された連続式洗い機と中間脱水機とを連続式濯ぎ機より高い位置に配置する構成は、洗濯工場の床面をそのような機器配置が可能な構造とする必要があり、一般的には採用することが困難な配置態様である上、装置の設置スペースも低減できない。
【００１２】
また、特許文献３の予濯ぎ槽は、濯ぎ槽の第１段目で特殊な濯ぎ処理を行うことにより、濯ぎ水と濯ぎ排水の量を低減しようとするものであるが、この予濯ぎ槽でも濯ぎ水の使用と濯ぎ排水の発生とがあるので、洗濯機で使用する清水と排水の量を減少させる手段としては不十分である。
【００１３】
この発明は、洗濯機を洗い機と濯ぎ機に分割して、その間に中間脱水機を配置し、洗い処理された洗濯物を中間脱水して濯ぎ処理することにより、濯ぎ水及び濯ぎ排水の量を大幅に低減できるようにした洗濯装置において、装置の設置床面積を大幅に低減することが可能で、洗い機、中間脱水機及び濯ぎ機へと流れる洗濯物の移送、更には濯ぎ機の後段に位置する終段の脱水機へと流れる洗濯物の移送を、簡単な構造で円滑に行うことができる連続式洗濯装置を得ることを課題としている。
【課題を解決するための手段】
【００１４】
この発明の洗濯装置は、洗い用と濯ぎ用の２つのドラム２ａ、２ｂを備えている。この２個のドラムは水平軸回りに回転（揺動を含む。）し、その軸方向の一方の端部に洗濯物の投入口２１ａ、２１ｂを備え、反対側の端部に洗濯物の排出口２２ａ、２２ｂを備えている。この発明の洗濯装置では、洗いドラム２ａと濯ぎドラム２ｂとがそれらの洗濯物の投入口２１ａ、２１ｂと排出口２２ａ、２２ｂとを互いに逆方向にして、その一方が他方の上部に位置するように配置されている。すなわち、濯ぎドラムの洗濯物の排出口２２ｂと洗いドラムの洗濯物の投入口２１ａが装置の一方の側で上下の位置関係になり、濯ぎドラムの洗濯物の投入口２１ｂと洗いドラムの洗濯物の排出口２２ａとが装置の他方の側で上下の位置関係になっている。上下の位置関係にある洗いドラムの洗濯物の排出口２２ａと、濯ぎドラムの洗濯物の投入口２１ｂとに隣接して、圧搾式の中間脱水機４が配置されている。
【００１５】
圧搾式の脱水機４は、対向する２つの面（平面又は曲面）で洗濯物を挟圧して、当該洗濯物に含まれている水分を搾り出す構造の脱水機である。圧搾式の脱水機は、少ない動力で短時間に洗濯物の脱水を行うことができる。洗い済みの洗濯物は、重力を利用して洗いドラムの排出口２２ａから中間脱水機の受け口４１に投入され、脱水済み洗濯物は、やはり重力を利用して中間脱水機の落し口４２から濯ぎドラムの投入口２１ｂへと投入される。中間脱水機内で洗濯物を移送する移送ベルト４３ｃを備えた脱水機においては、当該移送ベルトの移動方向上流部が受け口４１となり下流端が落し口４２となる。
【００１６】
ドラム２（２ａ、２ｂ）の内部を洗濯物を軸方向に移送可能な隔壁２５によって複数槽に区画した洗いドラム及び濯ぎドラムを備えた洗濯装置では、洗い槽２６ａの数が濯ぎ槽２６ｂの数より多く、従って、洗いドラム２ａの軸方向長さが濯ぎドラム２ｂのそれよりも長くなる。洗いドラムの投入口２１ａを濯ぎドラムの排出口２２ｂの略直上部に位置させて洗いドラム２ａを濯ぎドラム２ｂの上部に配置すると、洗いドラム２ａの排出口２２ａ側の部分（排出側延在部）２９が濯ぎドラムの投入口２１ｂ側端部を越えて延在し、その下方に空間ができる。この空間に中間脱水機４を配置すれば、洗いドラム、中間脱水機及び濯ぎドラムを含む洗濯装置の設置床面積を最小にできる。
【００１７】
２つの無端状の転動面で洗濯物を挟圧するロール式やベルト式の圧搾脱水機は、装置高さを低くすることができるので、洗いドラムの排出側延在部２９の下方空間に設け中間脱水機として好適である。
【００１８】
洗濯物を挟圧する際の下方の挟圧面となる受け面４７ｃをベルト面とし、当該ベルト面を洗いドラムの排出口２２ａの下方から濯ぎドラムの投入口２１ｂの上方まで水平方向に移動させる回転ベルト式の圧搾式脱水機は、その受け面の上方にベルト式の押圧面４７ｄを斜めにして、すなわち、受け面４７ｃの移動に伴って受け面４７ｃと押圧面４７ｄとの間隔が順次狭くなるように設けることにり、洗い済み洗濯物が洗いドラムの排出口下方の受け口４１から濯ぎドラムの投入口上方の落し口４２まで移送される間に当該洗濯物の脱水を行うことができ、かつ装置高さも小さくできるので、洗いドラムの排出側延在部２９の下方に配置する中間脱水機として特に好適である。
【００１９】
一方、濯ぎドラムの投入口２１ｂをこれより軸方向長さの長い洗いドラムの排出口２２ａの略直上部に位置させてこれらに隣接して中間脱水機を配置し、かつ濯ぎドラムの排出口２２ｂを洗いドラム２ａの直上部から外れるように中心軸２４ｂを斜めにして洗いドラム２ａの上部に配置すると、洗いドラム２ａの投入口側の部分（投入側延在部）３０の側方に空間ができる。そこでこの空間に濯ぎ済洗濯物の脱水機（終段脱水機）５を配置すれば、洗いドラム、中間脱水機、濯ぎドラム及び終段脱水機を含む洗濯装置の設置床面積を最小にできる。
【００２０】
含水率が高いと消費エネルギーが大きくなる洗濯物乾燥機に入れる前に洗濯物に含まれる水分を可能な限り少なくしたいので、終段脱水機６には、通常、遠心脱水機が用いられる。遠心脱水機は、高い位置で上方に向いた洗濯物受け口６１を備えている。濯ぎドラム２ｂを洗いドラム２ａの上部に配置すれば濯ぎ済洗濯物の排出口２２ｂが高い位置になるので、濯ぎ済洗濯物の終段脱水機６への投入が容易になる。この場合の中間脱水機４としては、洗濯物を下部の受け口４１から上部の落し口４２へと持上げる垂直方向の圧搾部５６を備えたベルト圧搾式の脱水機を用いることで、洗いドラムの排出口２２ａから濯ぎドラムの投入口２１ｂへと洗濯物を持上げるエレベータないし登りコンベアを省略でき、中間脱水機４の設置床面積も小さくできる。
【００２１】
この出願の請求項１の発明に係る連続式洗濯装置は、軸方向の対向端に洗濯物の投入口２１ａ、２１ｂと排出口２２ａ、２２ｂとを備えて水平軸回りに回転する洗いドラム２ａ及び濯ぎドラム２ｂを備えた洗濯機において、洗いドラム２ａと濯ぎドラム２ｂがそれらの洗濯物の投入口２１ａ、２１ｂと排出口２２ａ、２２ｂとを互いに逆向きにして一方が他方の上部に位置するように配置され、洗いドラムの排出口２２ａから落下してくる洗濯物を受ける受け口４１と濯ぎドラムの投入口２１ｂに洗濯物を落し込む落し口４２とを備えた圧搾式の中間脱水機４が、洗いドラムの排出口２２ａ及び濯ぎドラムの投入口２１ｂに隣接して配置されていることを特徴とする連続式洗濯装置である。
【００２３】
またこの出願の請求項２の発明に係る連続式洗濯装置は、上記手段を備えた洗濯装置において、中間脱水機４が、その受け口４１から落し口４２に向けて移動する受け面４７ｃと、上記移動する受け面上の洗濯物を当該受け面と同期移動しながら当該受け面に向けて押圧する押圧面４７ｄとを備えていることを特徴とする連続式洗濯装置である。
【００２４】
この出願の請求項３の発明に係る連続式洗濯装置は、上記請求項１記載の手段を備えた洗濯装置において、濯ぎドラム２ｂより軸方向長さの長い洗いドラム２ａの上部に、当該濯ぎドラムがその洗濯物の投入口２１ｂを洗いドラムの排出口２２ａの略直上部に位置させて、かつその中心軸２４ｂを洗いドラムの中心軸２４ａに対して斜めにして配置され、当該濯ぎドラムの投入口２１ｂ及び洗いドラムの排出口２２ａに隣接して洗濯物を下方から上方に搬送する移送ベルト５３ｃ、５３ｄを備えた中間脱水機４が配置され、濯ぎドラムの洗濯物の排出口２２ｂの下方部を越えて延在する洗いドラムの投入側延在部３０の側方の空間に濯ぎ済洗濯物を脱水する終段脱水機６が配置されていることを特徴とする連続式洗濯装置である。
【発明の効果】
【００２６】
この発明の洗濯装置では、洗いドラム２ａから間欠的に排出される洗濯物の塊が重力によって中間脱水機４の受け口４１に落下する。中間脱水機は、この洗濯物の塊を受け口４１から落し口４２に移送する間に洗濯物を圧搾して脱水し、重力を利用して濯ぎドラムの投入口２１ｂに落し込む。濯ぎ済み洗濯物は、濯ぎドラムの排出口２２ｂから排出される。
【００２７】
この発明の洗濯装置では、洗いドラム２ａと濯ぎドラム２ｂとその間に配置される中間脱水機４とを含む洗濯装置全体の設置床面積を大幅に低減できる。また、洗いドラムの排出口２２ａから濯ぎドラムの投入口２１ｂに至る洗濯物の移送が重力及び脱水機４内の洗濯物の移送路によって合理的に形成されるので、これらの機器間で洗濯物を搬送するための余分なコンベアやエレベータを必要としない。
【００２８】
更に、この発明の洗濯装置では、濯ぎドラムの排出口２２ｂ又はこれに隣接して配置した終段脱水機６の洗濯物排出口６２と洗いドラムの投入口２１ａとは、洗濯装置の同じ側の端部に位置することとなる。すなわち、洗いドラムと濯ぎドラムとその間に配置される脱水機とを含む洗濯装置の洗濯物投入口と排出口とが接近した位置となるため、この発明の洗濯装置を含んだ洗濯ラインを形成することにより、コンベアによる洗濯物の搬送経路を短くすることができるという優れた効果が得られる。
【発明を実施するための最良の形態】
【００２９】
以下、図面を参照して、この発明の好ましい実施形態の例を説明する。図１ないし４は第１実施形態の一例を示した図、図５及び図６は、第２実施形態の一例を示した図である。
【００３０】
図において、２ａは洗いドラム、４は中間脱水機、２ｂは濯ぎドラムである。洗いドラム２ａ及び濯ぎドラム２ｂは、図２に示すように、ぞれぞれのドラムの下方部に配置されたローラ２３、２３で、その水平方向のドラム中心軸２４ａ、２４ｂ回りに自由回転可能に支持されている。
【００３１】
ドラム２内は、らせん状の隔壁２５によって複数の洗濯槽（洗い槽２６ａ及び濯ぎ槽２６ｂ）が区画されている。隔壁２５の高さ（ドラム径方向の寸法）は、ドラム中心に軸方向に貫通する開口３１が形成される高さで、ドラム２内の洗濯水の水面３２は、隔壁２５の高さを越えない高さである。従って、らせん状の隔壁２５によってドラム２内を複数の洗濯槽に区画することができる。
【００３２】
図のドラムの隔壁２５は、それぞれの両端の一槽分を除いて洗濯水を通過させる多数の通孔２７を備えており、各ドラム２の中間の洗濯槽間では、洗濯水の通過が可能な構造となっている。濯ぎドラム２ｂ側は、洗濯物排出口２２ｂ側に濯ぎ水の供給パイプ２８が挿入されており、かつ投入口２１ｂ側の隔壁高さが若干低くなっている。濯ぎ水は、濯ぎドラム２ｂ内を排出口２２ｂ側から投入口２１ｂ側へと流れ、投入口側の隔壁をオーバーフローして流出する。洗いドラム２ａの洗濯物投入口２１ａ側の上部には、洗い用の水タンク１１と洗剤タンク１２が設けられている。図には示してないが、濯ぎドラム２ｂからオーバーフローした濯ぎ排水が洗い用の水タンク１１に送られるようになっている。
【００３３】
洗いドラム２ａ及び濯ぎドラム２ｂは、それぞれのドラムの軸方向の一方端に洗濯物投入シュート３３ａ、３３ｂを備えている。この投入シュート３３ａ、３３ｂが設けられた軸方向端部がそれぞれのドラムの洗濯物投入口２１ａ、２１ｂであり、その反対側の端部が排出口２２ａ、２２ｂとなる。投入シュート３３ａ、３３ｂは、実線で示す洗濯物投入時に、その投入端がドラム２ａ、２ｂの内側へ移動し、ドラム２ａ、２ｂが回転するときは、図に想像線で示すように、らせん状の隔壁２５の端部と干渉しないようにドラム２ａ、２ｂの端部から離れた位置となる。
【００３４】
図１ないし４に示す第１実施例のものでは、洗いドラム２ａは、その投入口２１ａが濯ぎドラムの排出口２２ｂの直上に位置するようにして、濯ぎドラム２ａの直上に、すなわち濯ぎドラム２ｂの中心軸２４ｂがその全長に亘って洗いドラム２ａの中心軸２４ａの直下に位置するようにして配置されている。
【００３５】
連続式洗濯機においては、通常、洗い槽２６ａの数が濯ぎ槽２６ｂの数より多い。そのため、連続式洗濯機を洗いドラム２ａと濯ぎドラム２ｂとに分割すると、洗いドラム２ａの軸方向長さが濯ぎドラム２ｂの軸方向長さより長くなる。従って、第１実施例のように、洗いドラムの投入口２１ａを濯ぎドラムの排出口２２ｂの直上部分に位置させると、洗いドラムの排出口側の部分２９が濯ぎドラム２ｂの上方から張り出した状態となる。図示の装置では、この張り出した洗いドラムの排出側延在部２９の下方の空間にベルト圧搾式の中間脱水機４を配置している。
【００３６】
第１実施例の中間脱水機４は、洗いドラム２ａ内の洗濯物の移送方向と逆方向に洗濯物を移送する移送ベルト４３ｃを備えている。この移送ベルト４３ｃは、モータ４４ｃで回転駆動される駆動ローラ４５ｃと従動ローラ４６ｃとの間に掛け回された通水性のベルトで、その移送面の移送方向上流部が洗いドラム２ａから排出される洗い済み洗濯物の受け口４１となっており、下流端が濯ぎドラムの投入シュート３３ｂに洗濯物を落し込む落し口４２となっており、かつ、その中間部が押圧面４７ｄとの間で洗濯物を挟圧して脱水する受け面４７ｃとなっている。移送ベルト４３ｃの下方には、脱水された洗い水を受ける排水タンク４８が設けられている。
【００３７】
受け面４７ｃとの間で洗濯物を挟圧する押圧面４７ｄは、受け面４７ｃとの間隔が洗濯物移送方向下流側が狭くなるように斜めに配置した押圧ベルト４３ｄのベルト面によって形成されている。押圧ベルト４３ｄは、モータ４４ｄで駆動される駆動ローラ４５ｄと従動ローラ４６ｄとの間に掛け回されている。押圧ベルト４３ｄは、駆動ローラ４５ｄの軸回りに揺動自在で、その従動ローラ４６ｄ側には、錘４９が搭載されている。移送ベルト４３ｃと押圧ベルト４３ｄの間を通過する洗濯物は、この錘４９の重力で挟圧されて脱水される。脱水された洗濯物は、移送ベルト４３ｃの下流端の落し口４２から濯ぎドラムの投入シュート３３ｂへと落し込まれる。
【００３８】
中間脱水機４の受け口４１の上方には、洗いドラムの排出口２２ａから排出された洗濯物を脱水機の受け口４１へと導くシュート５０が設けられている。洗いドラムの排出口２２ａの位置は、洗いドラムの軸方向長さによって定まり、また脱水機の受け口４１の位置は、濯ぎドラム２ｂの長さと脱水に必要な移送ベルト４３ｃの長さによって定まる。シュート５０は、必ずしも洗いドラムの排出口２２ａの真下にはならない脱水機の受け口４１に洗濯物を導くため、及び洗い水と一緒に拡がった状態で排出されてくる洗濯物を纏めた状態で受け口４１に落下させるために設けられているものである。
【００３９】
上記洗濯装置において、洗濯物は、図示しないコンベアなどでそれぞれの塊（例えば、私物の洗濯であれば持主ごと）に纏められた状態で、かつ１回の洗濯に適した量にして、洗いドラム２ａの投入口２１ａに投入される。洗いドラム２ａでは、ドラムの揺動により、各洗い槽で洗剤を含んだ水で洗濯物を洗い、この揺動動作の間に行われるドラムの一回転動作で洗濯物が隣の槽に移送され、最終槽からは当該槽の洗濯物が洗い水と共にシュート５０に排出される。
【００４０】
洗いドラム２ａから排出された洗濯物は、脱水機の受け口４１に落下し、移送ベルト４３ｃの移送と押圧ベルト４３ｄの回転により、受け面４７ｃと押圧面４７ｄとで挟圧されて脱水され、濯ぎドラムの投入シュート３３ｂに落し込まれる。この落し込むタイミングは、濯ぎドラム２ｂが一回転して洗濯物が隣の槽に移送された後、濯ぎドラムが揺動動作を行っている間のタイミングである。
【００４１】
濯ぎドラム２ｂは、洗いドラム２ａと同様に揺動による濯ぎと、当該揺動の間に行われる一回転動作による移送とにより、洗濯物を投入口２１ｂ側から排出口２２ｂ側へと間欠的に移送する。濯ぎドラム２ｂが一回転したとき、最終段の濯ぎ槽の洗濯物が排出口２２ｂから排出される。濯ぎドラム２ｂから排出された洗濯物は、搬送コンベアなどにより、次工程の図示しない終段脱水機へと送られ、更に乾燥工程やアイロンがけ工程を経て洗濯済み品となる。
【００４２】
図５、６に示す第２実施例のものでは、濯ぎドラム２ｂは、その投入口２１ｂが洗いドラム２ａの排出口２２ａの直上に位置するようにして、洗いドラム２ａの上部にその中心軸２４ｂを洗いドラムの中心軸２４ａに対して斜めにして配置されている。濯ぎドラムの排出口２２ｂは、洗いドラム２ａの側部の上方に位置している。前述したように、洗いドラム２ａの軸方向長さが濯ぎドラム２ｂの軸方向長さより長いため、洗いドラムの投入口側の部分３０の側方に濯ぎドラム２ｂから排出された濯ぎ済洗濯物を脱水する終段脱水機６を配置できる。
【００４３】
終段脱水機として用いられる脱水率の高い遠心脱水機は、回転駆動装置の上方に設けた回転かご６３が上向きに開口しており、通常の洗濯ラインでは、終段脱水機に投入するために洗濯物を高い位置に持上げなければならない。しかし上記構成の場合、濯ぎドラムの排出口２２ｂが高い位置となるので、排出された洗濯物をそのまま回転かご６３に投入できる。回転脱水された洗濯物を回転かご６３から排出するとき、回転かご６３はその下方の水平軸回りに反濯ぎドラム側へと揺動し、かごの開口を下向きにして排出する。このときの回転脱水済の洗濯物の排出位置６２は、洗いドラムの投入口２１ａに隣接する位置になる。
【００４４】
第２実施例の中間脱水機４は、対向するベルト５３ｃ、５３ｄで洗濯物を挟んで下部の受け口４１から上部の落し口４２へと洗濯物を持上げながら脱水する垂直な圧搾部５６を備えている。洗い済洗濯物の受け口４１は、外側ベルト５３ｃの下端が洗いドラムの排出口２２ａ側に向けてＬ形に屈曲した部分に形成されている。一方脱水済洗濯物の落し口４２は、内側ベルト５３ｄの上端が濯ぎドラムの投入口２１ｂ側に向けて逆Ｌ形に屈曲した部分の端部に形成されている。
【００４５】
内側ベルト５３ｄの垂直部には、ばね５４で付勢された圧搾ローラ５５が配置されており、この圧搾ローラ５５で内側ベルト５３ｄが外側ベルト５３ｃに向けて押圧されることにより、洗い済洗濯物が対向するベルト５３ｃ、５３ｄで挟まれて上方に送られながら脱水される。すなわち、この中間脱水機４では、外側ベルト５３ｃのベルト面が受け面４７ｃとなっており、内側ベルト５３ｄのベルト面が押圧面４７ｄとなっている。脱水された洗濯物は、内側ベルト５３ｄの下流端の落し口４２から濯ぎドラムの投入口２１ｂへと落し込まれる。
【００４６】
上記洗濯装置において、洗濯物は、図示しないコンベアから洗いドラム２ａの投入口２１ａに投入される。洗いドラム２ａから排出された洗い済洗濯物は、脱水機の受け口４１に落下し、外側ベルト５３ｃで受取られたあと両ベルト５３ｃ、５３ｄの移送により両ベルトの間に挟まれて垂直部に導かれ、圧搾ローラ５５のばね５４の付勢力により、受け面４７ｃと押圧面４７ｄとで挟圧されて脱水され、内側ベルト５３ｄの下流端の落し口４２から濯ぎドラムの投入口２１ｂに落し込まれる。
【００４７】
濯ぎドラム２ｂが一回転したとき、最終段の洗濯物が排出口２２ｂから排出される。排出された濯ぎ済洗濯物は、終段脱水機６の回転かご６３内に落下し、終段脱水機６は、次の洗濯物か排出されるまでの間に、受取った洗濯物を遠心脱水して反濯ぎドラム側へと排出する。終段脱水機６から排出された洗濯物は、搬送コンベアなどにより、次工程の図示しない乾燥機へと送られ、アイロンがけ工程やたたみ工程を経て洗濯済み品となる。
【図面の簡単な説明】
【００４８】
【図１】第１実施例の断面側面図
【図２】ドラムの支持構造を示す横断面図
【図３】図１の中間脱水機の拡大断面側面図
【図４】中間脱水機側から見た装置全体の背面図
【図５】第２実施例の要部の模式的な側面図
【図６】第２実施例の模式的な平面図
【符号の説明】
【００４９】
2a  洗いドラム
2b  濯ぎドラム
４  中間脱水機
６  終段脱水機
21a  洗濯物投入口
21b  洗濯物投入口
22a  洗いドラムの排出口
22b  濯ぎドラムの排出口
24a  洗いドラムの中心軸
24b  洗いドラム中心軸
25  隔壁
26a  洗い槽
29  排出側延在部
41  受け口
42  落し口
47c  受け面
47d  押圧面
53c,53d  移送ベルト
【図１】
0004972525.tif 000002
【図２】
0004972525.tif 000003
【図３】
0004972525.tif 000004
【図４】
0004972525.tif 000005
【図５】
0004972525.tif 000006
【図６】
0004972525.tif 000007